(57)【特許請求の範囲】
【請求項１】
透過原稿へ光を照射する照射手段と、
上記透過原稿を保持する保持手段と、
上記透過原稿を透過する透過光を結像して読み取る読取手段とから構成され、
上記保持手段と上記読取手段との一方を他方に対し移動走査して画像を入力する画像入力装置において、
上記読取手段と連結することで、上記読取手段を上記透過原稿を透過する上記透過光の光軸方向に移動し、結像調整を可能とするピント調整手段と、
非調整時は、上記調整手段と上記読取手段との連結を解除した状態に維持する解除保持手段と、
を有することを特徴とするピント調整付き画像入力装置。
【請求項２】
透過原稿へ光を照射する照射手段と、
上記透過原稿を保持する保持手段と、
上記透過原稿を透過する透過光を結像して読み取る読取手段と、
上記保持手段と上記読取手段との一方を他方に対し移動走査する走査手段とを具備する画像を入力する画像入力装置において、
ピント調整操作部材を回動させ、連動機構を介して連結された上記読取手段を上記透過原稿を透過する上記透過光の光軸方向に移動させて結像調整を行なうように構成され、上記ピント調整操作部材は、上記読取手段との連結解除が可能であって、上記読取手段との連結を解除された状態では上記ピント調整操作部材は回動が阻止されることを特徴とするピント調整付き画像入力装置。
【発明の詳細な説明】
【０００１】
【発明の属する技術分野】
本発明は、ピント調整付き画像入力装置、詳しくは、写真フィルム等の透過原稿の画像を透過照明によって読み取る画像入力装置のピント調整機構に関する。
【０００２】
【従来の技術】
従来の画像入力装置は、透過原稿である写真フィルムを照明する照明手段と、該写真フィルムを保持するフィルム保持手段と、該写真フィルムの透過光をリニアＣＣＤであるラインセンサ上に結像させて画像データを読み取る読み取り部により構成されている。
【０００３】
なお、上記従来の画像入力装置では、上記フィルム保持手段側を固定し、読み取り部をスキャニングする構成が一般的である。また、上記画像入力装置には、フィルム等の平面性にバラツキがあるためにピント調整を必要とし、そのピント調整用としてフォーカス調整機構が組み込まれている。
【０００４】
上記従来の画像入力装置としては、特開平６−３１１２７９号公報に開示された画像入力装置が挙げられるが、この公報では特に該装置のフォーカス調整機構について詳細に記載されている。
【０００５】
【発明が解決しようとする課題】
上述の特開平６−３１１２７９号公報に開示された画像入力装置においては、調整用ダイヤルにより機械的にフォーカス調整が行われるようになっているが、スキャニング中に上記調整用ダイヤルが回されたりすると、機械的に調整機構が直接連結されているため、ピントが一部ずれた状態て、スキャンされる可能性があった。したがって、ピント調整をしたにもかかわらずフィルム等の読み取った画像の一部がぼけるなどで、鮮明な画像を取り込むことが難しかった。
【０００６】
本発明は、上述の不具合を解決するためになされたものであって、ピント調整のずれが生じにくいピント調整機構を内蔵するピント調整付き画像入力装置を提案することを目的とする。
【０００７】
【課題を解決するため手段】
本発明の第１のピント調整付き画像入力装置は、透過原稿へ光を照射する照射手段と、上記透過原稿を保持する保持手段と、上記透過原稿を透過する透過光を結像して読み取る読取手段とで構成され、上記保持手段と上記読取手段との一方を他方に対し移動走査して画像を入力する画像入力装置において、上記読取手段と連結することで、上記読取手段を上記透過原稿を透過する上記透過光の光軸方向に移動し、結像調整を可能とするピント調整手段と、非調整時は、上記調整手段と上記読取手段との連結を解除した状態に維持する解除保持手段とを有する。
上記ピント調整付き画像入力装置においては、ピント調整がピント調整手段により行われるが、上記ピント調整を行わない非調整時には、上記ピント調整手段は、上記読み取り手段との連結が解除された状態に保持されている。
【０００９】
本発明の第２のピント調整付き画像入力装置は、透過原稿へ光を照射する照射手段と、上記透過原稿を保持する保持手段と、上記透過原稿を透過する透過光を結像して読み取る読取手段と、上記保持手段と上記読取手段との一方を他方に対し移動走査する走査手段とを具備する画像を入力する画像入力装置において、ピント調整操作部材を回動させ、連動機構を介して連結された上記読取手段を上記透過原稿を透過する上記透過光の光軸方向に移動させて結像調整を行なうように構成されている。
上記ピント調整付き画像入力装置においては、上記ピント調整操作部材が上記読取手段と連結解除可能であって、上記読取手段との連結を解除された状態では上記ピント調整操作部材は回動が阻止されている。
【００１０】
【発明の実施の形態】
以下、本発明の実施の形態について図を用いて説明する。
図１は、本発明の第１の実施の形態としてのピント調節付き画像入力装置の機構を示す斜視図である。また、図２は、上記画像入力装置のピント調整機構部周りの拡大斜視図を示している。
【００１１】
図１に示すように上記第１の形態のピント調整付き画像入力装置は、透過原稿の保持手段であるフィルムホルダ２に透過原稿である現像済み写真フィルム１が保持されており、照射手段である光源部と撮像光学系を有する読み取り手段を構成するキャリッジ部３を駆動部４により水平走査方向に駆動することによって、上記写真フィルム１の画面を走査し、該写真フィルムの画像を取り込む装置である。そして、上記撮像光学系のピント位置は、ピント調整手段であるピント調整機構部をマニュアル操作することにより調整される。
【００１２】
上記駆動部４は、本体１１に支持されており、ピニオン１３を持つ駆動モータ１２と、ピニオン１３に噛合するギヤ１４と、ギヤ１４が固着され、本体１１に回転自在に支持された後述する撮像光軸Ｏと直交する方向の送り軸１５と、本体１１に送り軸１５と平行に支持される送りガイド軸１６とで構成されている。
【００１３】
上記キャリッジ部３は、送り軸１５に螺合し、送りガイド軸１６に摺動自在に支持されているキャリッジ本体２１と、キャリッジ本体２１に取り付けられたリニア型撮像素子であるリニアＣＣＤ２５ａを内蔵するＣＣＤユニット２５と、撮影レンズ鏡筒２３と、光源２２とで構成されている。なお、上記撮影レンズ鏡筒２３には、撮影レンズ２４ａを保持する光軸Ｏ方向に進退自在なレンズホルダ２４が内蔵されている。
【００１４】
なお、送り軸１５の軸方向に対して、上記光源２２と撮影レンズ２４ａとＣＣＤ２５ａを結ぶ光軸Ｏの方向は直交している。そして、光源２２の軸長手方向とリニアＣＣＤ２５ａの主走査方向は、互いに平行で対向して配置され、送り軸１５の軸方向に対して直交している。
したがって、上記光源２２，撮影レンズ２４ａ，リニアＣＣＤ２５ａが取り付けられたキャリッジ部３が上記主走査方向に直交する送り軸方向、すなわち、副走査方向に沿って駆動されると、光源２２からの透過光がフィルムホルダ２に装着された写真フィルム１の画面を走査することになる。
【００１５】
上記ピント調整機構部は、ピント駆動部５Ａとピント調整操作部５Ｂとで構成される。
上記ピント駆動部５Ａは、本体１１に回転自在に送り軸１５と平行な状態で装着された角軸形状のガイド部材であって、フォロワギヤ２７が固着されているガイド軸２８と、その軸穴形状がガイド軸２８と同一形状であり、該ガイド軸２８に対して一体的に回転可能で且つ摺動自在の状態で嵌入されたギヤ列の初段ギヤ２９と、ギヤ列を構成する中間ギヤ３０、および、終段ギヤ３１と、上記ギヤ２９，３０，３１を回転自在に支持するアーム３２とで構成されている。なお、ギヤ３１を支持するアーム３２の支持軸３３は、レンズ鏡筒２３側に固定支持されている。
【００１６】
したがって、撮影レンズ鏡筒２３がキャリッジ本体２１とともに送り軸１５に沿って移動すると、アーム３２とギヤ列を構成するギヤ２９，３０，３１が共にガイド軸２８に沿って移動する。その移動中、ガイド軸２８が回転しなければ、初段ギヤ２９も回転することなく移動する。
【００１７】
また、上記ギヤ３１にはカム溝３１ａが設けられ、そのカム溝３１ａにはレンズホルダ２４に配設されているカムフォロワ２４ｂが嵌入している。したがって、フォロワギヤ２７が回転駆動され、その回転がガイド軸２８から上記ギヤ列を介して終段ギヤ３１に伝達されると、撮影レンズホルダ２４が光軸Ｏ方向に進退することになる。
【００１８】
上記、ピント調整操作部５Ｂは、フォロワギヤ２７に噛合可能なギヤで構成されるピント調整用操作部材のピント調整ダイヤル４１と、一端部で上記ピント調整ダイヤル４１を回転自在に支持し、他端部が本体１１の支持軸４３に回動自在に支持されるレバー部材であるダイヤル支持レバー４２と、該レバー４２を反時計回り（図１）に付勢し、本体のストッパ４５とレバー４２のストッパ４２ａとにその端部が懸架されている解除保持手段としての付勢手段であるトーションバネ４４とから構成されている。
なお、ピント調整ダイヤル４１にはその回動位置を示す調整位置指標である調整位置マーク４１ａが外周の一部に付されている。
【００１９】
また、ダイヤル支持レバーが反時計回りに回動した通常の位置にある解放状態、すなわち、後述するピント非調整時の状態では、ピント調整ダイヤル４１は、Ｄｂ方向に移動し、フォロワギヤ２７と離間した連結解除位置にあり、そのときは装置の外装体５１に設けられたロック手段である爪５１ａにピント調整ダイヤル４１のギヤの歯部が係止された状態になっている。
【００２０】
操作者がピント調整ダイヤル４１を上記付勢力に抗してＤａ方向に押圧すると、該ダイヤル４１のギヤがフォロワギヤ２７と噛合する。この状態でピント調整ダイヤル４１を回動操作すると、フォロワギヤ２７を介してガイド軸２８が回動し、ギヤ列を介して終段ギヤ３１が駆動され、撮影レンズホルダ２４が進退駆動される。
【００２１】
以上のように構成された本形態のピント調整付き画像入力装置において、ピント調整を行うには、ピント調整ダイヤル４１を押圧し、フォロワギヤ２７と噛合した状態として、該ピント調整ダイヤル４１を所望の方向に回動させる。そのときの該ダイヤル４１の回動量、または、回動位置は、調整位置マーク４１ａの移動位置により認識することができる。
【００２２】
上記回動動作によりガイド軸２８が回動され、ギヤ列のギヤ２９，３０を介して終段ギヤ３１が回動し、カムフォロワ２４ｂにより撮影レンズホルダ２４が進退駆動され、リニアＣＣＤ２５ａ上の結像のピント調整が行われる。
【００２３】
ピント調整後、ピント調整ダイヤル４１の押圧を解放し、Ｄｂ方向に戻すと、該ダイヤル４１は、歯部が外装体の爪５１ａで係止され、調整回動位置に保持される。
そして、駆動モータ１２によりギヤを介して送り軸１５を回転させ、キャリッジ本体２１を副走査方向に駆動する。このキャリッジ本体２１の移動により、ギヤ２９，３０，３１もキャリッジ本体２１と一体的に副走査方向に移動するが、ギヤ２９はガイド軸２８上を摺動するだけで回動はしない。したがって、ピント状態が変化することがない。
【００２４】
上記キャリッジ本体２１の移動によって、光源２２からの光が写真フィルム１の画面を副方向に走査しながら透過し、撮影レンズ２４ａを介して、主走査方向毎の画像がリニアＣＣＤ２５ａの光電変換面上に結像し、片ぼけのない１コマ分の画像情報が取り込まれる。
但し、写真フィルム１面とキャリッジ本体の移動方向である副走査方向との平行度は所定の精度に保たれていることは、当然のことである。
【００２５】
以上の説明したように、本形態のピント調整付き画像入力装置においては、ピント調整を行わないとき、すなわち、非調整時には、ピント調整ダイヤル４１を解放して、Ｄｂ方向に移動させ、外装体５１の爪５１ａに係止させ、そのときの回動位置をロックするので、該ダイヤル４１の現調整位置を示す調整位置マーク４１ａのずれが防止できる。
【００２６】
また、同じく非調整時には、ピント調整ダイヤル４１とフォロワギヤ２７とを非噛合状態として、ピント駆動部５Ａとの連結を解除しておき、キャリッジ走査中に不用意にピント調整ダイヤル４１に触れたとしても、レンズホルダ２４は移動することがなく、ピント状態が変化しないようになっている。
【００２７】
また、ピント調整時には、ピント調整ダイヤル４１を押し下げてフォロワギヤ２７と噛合させ、該ダイヤル４１を回動することによって容易にピント調整を行うことができ、写真フィルム１の反り、または、写真フィルムの種類等によるピントずれを調整することができる。
【００２８】
上述の写真フィルムの種類やフィルムメーカーによるピント位置の差異、例えば、１３５型のネガフィルムを用いたストリップフィルムと１３５型のスライドフィルム（枠つき）とのピント位置がフィルムの癖の影響も含めて差異が生じるが、その差異と調整位置マーク４１ａの位置との関係が予めデータとして明らかになっていれば、該当する位置に調整位置マーク４１ａを合わせるだけで略ピント調整ができるなど使用者にとって非常に有用となる。
【００２９】
なお、上記ガイド軸２８としては角軸形状のものを適用したが、その軸の形状は、角軸に限らず断面が小判形状の軸でもよく、キー溝付き軸やスプライン軸であってもよい。
【００３０】
また、上記第１の形態のピント調整付き画像入力装置は、ピント調整を撮影レンズホルダ２４の進退移動によって行うように構成されたものであるが、リニアＣＣＤ２５ａ側、あるいは、写真フィルムホルダ２側を進退駆動して、上述と同様なピント調整を行うように構成してもよい。
【００３１】
次に、上記第１の形態のピント調整付き画像入力装置におけるピント調整機構部を構成するピント駆動部の変形例について、図３のピント駆動部のレンズホルダ周りの側面図によって説明する。
この変形例を適用する画像入力装置では、ピント駆動部６０Ａのレンズホルダ駆動部周り以外、前記第１の形態のピント調整付き画像入力装置と同一の構成とし、同一の符号を用いて説明する。
【００３２】
本変形例のピント駆動部６０Ａにおいて、アーム３２に支持されるギア列の終段ギヤ６１には駆動ピン６１ａが固着されており、該駆動ピン６１ａは、撮影レンズホルダ６２に設けられたガイド溝６２ｂに嵌入している。したがって、終段ギヤ６１が回動すると駆動ピン６１ａを介して撮影レンズホルダ６２が進退駆動される。
【００３３】
この変形例を適用したピント調整付き画像入力装置でピント調整を行う場合、前記ピント調整操作部５Ｂを操作してガイド軸２８を回動させると、終段ギヤ６１が回動し、撮影レンズホルダ６２が光軸Ｏに沿って進退駆動され、平行シフトの片ぼけのないピント調整が行われる。
本変形例のピント駆動部６０Ａによると、終段ギヤ６１にカム溝を設ける必要がなく、ピント駆動部の構造が簡単になる。
【００３４】
次に、本発明の第２の実施の形態であるピント調整付き画像入力装置について、図４のピント調整駆動機構部の斜視図によって説明する。
図４に示すように本形態のピント調整付き画像入力装置においては、上記ピント調整駆動機構部のうちピント駆動部７０Ａ以外の構成は、前記第１の形態のピント調整付き画像入力装置と同一であり、同一の符号を用いて説明する。
【００３５】
ピント調整付き画像入力装置において、キャリッジの送り軸１５と平行に支持されるガイド軸２８の平行度および心間距離を高精度に維持することは、構成部品のコスト上不利となる。そこで、本形態の画像入力装置のピント駆動部７０Ａは、送り軸１５に対するガイド軸２８の平行度が多少悪かったとしてもピント駆動部７０Ａのギヤ列構成部に無理な力が作用せず、スムーズな駆動が可能である構造を採用している。
【００３６】
すなわち、上記ピント駆動部７０Ａにおいては、撮影レンズホルダ７２のピント調整駆動を行うギヤ列として、互いに噛合する初段ギヤ７３と中間ギヤ７４と終段ギヤ７５で構成されるが、ギヤを支持するアームを分割した構造を採用している。
【００３７】
すなわち、該アームは、連結手段である第１アーム７６と第２アーム７７で構成され、第１アーム７６は初段ギヤ７３と中間ギヤ７４を、第２アーム７７は中間ギヤ７４と終段ギヤ７５をそれぞれ回転自在に支持している。第１アーム７６と第２アーム７７は、中間ギヤ７４を支持している支持軸７８により回動自在に連結され、支持されている。
【００３８】
また、終段ギヤ７５を支持する支持軸７９は、第２アーム７７を回動自在に支持し、撮影レンズ鏡筒８０に固定されている。そして、初段ギヤ７３と第１アーム７６は、キャリッジ本体７１に設けられたギヤアーム挟持用突起部７１ａ，７１ｂによって、軸方向に挟持されており、支持軸７９と協働してギヤ列７３，７４，７５と、第１，第２アーム７６，７７とをキャリッジ本体と一体的に送り軸方向に駆動させる。
【００３９】
また、第１アーム７６，第２アーム７７をそれぞれ支持する初段ギヤ７３のボス部を支持するガイド軸２８と、支持軸７８と、支持軸７９と各軸心は、直線上に配置されておらず、ある角度をなして配置されている。したがって、支持軸７９の軸心とガイド軸２８の軸心の軸間距離に精度上の寸法差が生じた場合でも、その軸間距離の変化に応じて第１アーム７６と第２アーム７７が支持軸７８中心にわずか回動して、位置の変化を吸収し、ガイド軸２８に沿った第１アーム７６と第２アーム７７の移動による軸支持部のつまりやギヤ列の噛合状態の変化を防止し、スムーズなキャリッジ，ギヤ列の移動が実現される。
【００４０】
上記終段ギヤ７５には駆動ピン７５ａが固着されており、該駆動ピン７５ａは、撮影レンズホルダ７２に設けられたガイド溝７２ａに嵌入している。したがって、終段ギヤ７５が回動すると駆動ピン７５ａを介して撮影レンズホルダ７２が光軸方向に進退駆動される。
【００４１】
以上のように構成された本形態のピント調整付き画像入力装置によりピント調整を行う場合、第１の形態の画像入力装置の場合と同様にピント調整操作部５Ｂを操作してガイド軸２８を回動駆動させると、ギヤ列を介して終段ギヤ７５が回動し、撮影レンズホルダ７２が光軸Ｏに沿って進退駆動され、平行シフトの片ぼけのないピント調整が行われる。
【００４２】
そして、写真フィルムの画像を取り込む場合は、キャリッジ７１を送り軸１５に沿う副走査方向に駆動させながらリニアＣＣＤより画像データを取り込む。その場合、本形態の装置においては、ガイド軸２８の送り軸１５に対する平行度、または、心間距離の精度が悪かったとしても、上記第１，第２アーム７６，７７の回動運動により心間距離の変化を吸収することができ、スムーズな副走査方向の移動が得られる。
【００４３】
以上、説明した各実施の形態のピント調整付き画像入力装置のピント駆動部５Ａ，６０Ａ，７０Ａに対する変形例として、該機構での振動にともなう撮影レンズホルダの微少移動や終段ギヤの回動発生等を防止できる構造をもつピント駆動部を提案できる。
図５は、その変形例のピント駆動部のレンズ鏡筒取り付け部周りの断面図である。なお、本図は、前記第１，２，３の形態を示す画像入力装置に対応するものとして、各形態の装置の部材の符号を併記しているが、第１の形態に対する構成と作用についての説明のみ行い、他の形態の装置の場合も同様とする。
【００４４】
上記図５に示すように、本変形例においては鏡筒２３に固着された軸３３に回動自在に支持された終段ギヤ３１とアーム３２間に、軸方向に弾性変形が可能であって、摺動面にフリクションを与えるフリクションバネ９１が挿入されている。したがって、終段ギヤ３１とアーム３２間の相対回動動作にフリクション力が作用することになり、キャリッジ本体２１の副走査駆動時に微振動等が発生したとしても、終段ギヤ３１は振動、および、回動しにくい状態にあり、上述したように撮影レンズホルダの光軸方向の微少移動の発生も少なくなる。
【００４５】
（付記）
以上、説明した実施の形態により、次のような構成を有するピント調整付き画像入力装置を提案できる。すなわち、
（１）  透過原稿へ光を照射する照射手段と、
上記透過原稿を保持する保持手段と、
上記透過原稿を透過する透過光を結像して読み取る読取手段とから構成され、
上記保持手段と上記読取手段の一方を走査して画像を入力する画像入力装置において、
上記読取手段と連結することで、上記読取手段を上記透過原稿を透過する上記透過光の光軸方向に移動し、結像調整を可能とするピント調整手段と、
非調整時は、上記ピント調整手段と上記読取手段との連結を解除状態に維持する解除保持手段と、
非調整時、上記ピント調整手段を係止するロック手段と、
を有することを特徴とするピント調整付き画像入力装置。
【００４６】
（２）  透過原稿へ光を照射する照射手段と、
上記透過原稿を保持する保持手段と、
上記透過原稿を透過する透過光を結像して読み取る読取手段とから構成され、
上記保持手段と上記読取手段との一方を他方に対し移動走査して画像を入力する画像入力装置において、
上記保持手段と上記読取手段とのうち上記走査される一方の手段に設けられ、該手段を上記透過原稿を透過する上記透過光の光軸方向に移動し、結像調整を可能とするピント調整手段と、
非調整時は、上記調整手段と上記読取手段との連結を解除状態に維持する解除保持手段と、
上記ピント調整手段を上記走査方向と平行に摺動可能に保持するガイド部材を有し、該ガイド部材を回動させることで上記ピント調整手段を駆動するガイド手段と、
を有することを特徴とするピント調整付き画像入力装置。
【００４７】
（３）  付記（１）において、
上記ピント調整手段は、ピント調整用操作部材と、該ピント調整用操作部材を配設し、回動可能に軸支されたレバー部材と、上記レバー部材を一方向に回動付勢する付勢手段と、
を具備していることを特徴とするピント調整付き画像入力装置。
【００４８】
（４）  透過原稿へ光を照射する照射手段と、
上記透過原稿を保持する保持手段と、
上記透過原稿を透過する透過光を結像して読み取る読取手段とから構成され、
上記保持手段と上記読取手段との一方を他方の対し移動走査して画像を入力する画像入力装置において、
上記保持手段と上記読取手段とのうち上記走査される一方の手段に設けられ、該手段を上記透過原稿を透過する上記透過光の光軸方向に移動しは、結像調整を可能とするピント調整手段と、
上記ピント調整手段を上記走査方向と平行に摺動可能に保持するガイド手段と、
を有することを特徴とするピント調整付き画像入力装置。
【００４９】
（５）  付記（４）において、
上記ガイド手段は、上記ピント調整手段を上記走査方向と平行に摺動可能に保持するガイドシャフトであって、さらに、このガイドシャフトの回転により上記ピント調整手段を結像調整移動させるよう連動することを特徴とするピント調整付き画像入力装置。
【００５０】
（６）  透過原稿へ光を照射する照射手段と、
上記透過原稿を保持する保持手段と、
上記透過原稿を透過する透過光を結像して読み取る読取手段とから構成され、
上記保持手段と上記読取手段との一方を他方に対し移動走査して画像を入力する画像入力装置において、
上記保持手段と上記読取手段とのうち上記走査される一方の手段に設けられ、該手段を上記透過原稿を透過する上記透過光の光軸方向に移動し、結像調整を可能とするピント調整手段と、
上記走査の際は、上記ピント調整手段を上記走査方向に摺動移動可能にし、ピント調整の際は回動するガイド手段と、
上記ガイド手段の回動を上記ピント調整手段へ伝達する連結手段と、
を有し、上記連結手段は、上記走査の際における走査方向と上記ガイド手段のガイド方向との変動に対応して変位し、吸収するように構成されていることを特徴とするピント調整付き画像入力装置。
【００５１】
（７）  付記（６）において、
上記連結手段は、遊星ギヤ列を有した伝達ギヤ列からなることを特徴とするピント調整付き画像入力装置。
【００５２】
（８）  付記（６）において、上記連結手段にフリクションバネを付加したことを特徴とするピント調整付き画像入力装置。
【００５３】
【発明の効果】
以上、説明したように本発明の請求項１に記載のピント調整付き画像入力装置によると、画像入力時の移動走査中にピント調整手段が不用意に移動したとしても、調整手段と読み取り手段の連結が解除されていることからピント調整位置のずれの発生が防止できる。
【００５５】
本発明の請求項２に記載のピント調整付き画像入力装置によると、非ピント調整時に、ピント調整操作部材を読み取り手段に対して連結を解除し、該操作部材の回動を阻止された状態を保持するようにして、画像読み取り動作時に、ピント調整位置が変化することを防止し、さらに、ピント調整操作部材の位置ずれの発生も防止することができる。
【図面の簡単な説明】
【図１】本発明の第１の実施の形態を示すピント調整付き画像入力装置の機構部の斜視図。
【図２】図１のピント調整付き画像入力装置におけるピント調整機構部の拡大斜視図。
【図３】第１の実施の形態のピント調整付き画像入力装置におけるピント調整機構部のうち、変形例のピント駆動部の側面図。
【図４】本発明の第２の実施の形態を示すピント調整付き画像入力装置の機構部の要部斜視図。
【図５】本発明の第１、または、第２の実施の形態のピント調整付き画像入力装置のピント駆動部の変形例のレンズ鏡筒取り付け部周りの断面図
【符号の説明】
１  ……写真フィルム（透過原稿）
２  ……フィルムホルダ（保持手段）
５  ……ピント調整機構部（ピント調整手段）
５Ａ  ……ピント駆動部（ピント調整手段）
５Ｂ  ……ピント調整操作部（ピント調整手段）
２２  ……光源（照射手段）
２４  ……撮影レンズホルダ（読み取り手段）
２５ａ……リニアＣＣＤ（読み取り手段）
２８  ……ガイド軸（ガイド部材）
４１  ……ピント調整ダイヤル
（ピント調整操作部材）
４４  ……トーションバネ（解除保持手段）
【図１】
0003548292.tif 000002
【図２】
0003548292.tif 000003
【図３】
0003548292.tif 000004
【図４】
0003548292.tif 000005
【図５】
0003548292.tif 000006